【手続補正書】
【提出日】平成18年3月1日(2006.3.1)
【手続補正１】
【補正対象書類名】明細書
【補正対象項目名】発明の名称
【補正方法】変更
【補正の内容】
【発明の名称】出会い・交流・連絡又は交信の支援のための装置
【手続補正２】
【補正対象書類名】明細書
【補正対象項目名】特許請求の範囲
【補正方法】変更
【補正の内容】
【特許請求の範囲】
【請求項１】
乗り物に乗っている場合を含む移動体である各ユーザーが携帯又は保持する移動体通信端末などの端末であって、少なくとも、
（１）前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、
（２）前記各ユーザーの現在地の位置座標データを取得するためのＧＰＳ受信機などの現在位置座標データ取得手段と、
（３）前記各ユーザーの「もし近くの場所に居れば自己が出会いたい又は連絡したい人に関するキー・データ」、前記各ユーザーの現在位置座標データ、及び前記各ユーザー自身の識別用データまたは属性データなどのキー・データを、「基地局側又はセンター側のコンピュータ」にネットワークを介して無線送信するための現在位置座標データ等送信手段と、を有する移動体通信端末などの端末と、
「基地局側又はセンター側のコンピュータ」であって、少なくとも、
（１）複数の前記各移動体通信端末などの端末からそれぞれ前記「基地局側又はセンター側のコンピュータ」に無線で送信されて来た「前記各ユーザーの現在位置座標データであってその中の全部又は一部の各ユーザーの現在位置座標データ」を互いに比較するための現在位置座標データ比較手段と、
（２）前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を有する「基地局側又はセンター側のコンピュータ」と、
を備えたことを特徴とする、出会い・交流・連絡又は交信の支援のための装置。
【請求項２】
乗り物に乗っている場合を含む移動体である各ユーザーが携帯又は保持する移動体通信端末などの端末であって、少なくとも、
（１）前記各ユーザーの現在地の位置座標データを取得するためのＧＰＳ受信機などの現在位置座標データ取得手段と、
（２）前記各ユーザーの現在位置座標データ、及び前記各ユーザー自身の識別用データまたは属性データなどのキー・データを、「基地局側又はセンター側のコンピュータ」にネットワークを介して無線送信するための現在位置座標データ等送信手段と、を有する移動体通信端末などの端末と、
「基地局側又はセンター側のコンピュータ」であって、少なくとも、
（１）前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを、前記各ユーザー自身の識別用データ又は属性データなどのキー・データと関連付けて記録しておくためのキー・データ用データベースと、
（２）複数の前記各移動体通信端末などの端末からそれぞれ前記「基地局側又はセンター側のコンピュータ」に無線で送信されて来た「前記各ユーザーの現在位置座標データであってその中の全部又は一部の各ユーザーの現在位置座標データ」を互いに比較するための現在位置座標データ比較手段と、
（３）前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を有する「基地局側又はセンター側のコンピュータ」と、
を備えたことを特徴とする、出会い・交流・連絡又は交信の支援のための装置。
【請求項３】
「基地局側又はセンター側のコンピュータ」に備えられた出会い・交流・連絡又は交信の支援のための装置であって、
乗り物に乗っている場合を含む移動体である各ユーザーが携帯又は保持する移動体通信端末などの端末から、前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データ、前記各ユーザーの現在地の位置座標データ、及び前記各ユーザー自身の識別用データ又は属性データなどのキー・データを、ネットワークを介して無線で受信するための現在位置座標データ等受信手段と、
前記各ユーザーの移動体通信端末などの端末からそれぞれ無線送信されて来た「前記各ユーザーの現在位置座標データであってその中の全部又は一部の各ユーザーの現在位置座標データ」を互いに比較するための現在位置座標データ比較手段と、
前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、
を備えたことを特徴とする、「基地局側又はセンター側のコンピュータ」に備えられた出会い・交流・連絡又は交信の支援のための装置。
【請求項４】
「基地局側又はセンター側のコンピュータ」に備えられた出会い・交流・連絡又は交信の支援のための装置であって、
「乗り物に乗っている場合を含む移動体である各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを、前記各ユーザー自身の識別用データ又は属性データなどのキー・データと関連付けて記録しておくためのキー・データ用データベースと、
乗り物に乗っている場合を含む移動体である前記各ユーザーが携帯又は保持する移動体通信端末などの端末から、前記各ユーザーの現在地の位置座標データ、及び前記各ユーザー自身の識別用データ又は属性データなどのキー・データを、ネットワークを介して無線で受信するための現在位置座標データ等受信手段と、
前記各ユーザーの移動体通信端末などの端末からそれぞれ無線送信されて来た「前記各ユーザーの現在位置座標データであってその中の全部又は一部の各ユーザーの現在位置座標データ」を互いに比較するための現在位置座標データ比較手段と、
前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、
を備えたことを特徴とする、「基地局側又はセンター側のコンピュータ」に備えられた出会い・交流・連絡又は交信の支援のための装置。
【請求項５】
乗り物に乗っている場合を含む移動体である各ユーザーが携帯又は保持する移動体通信端末などの端末に備えられた出会い・交流・連絡又は交信の支援のための装置であって、
前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、
前記各ユーザーの現在地の位置座標データを取得するためのＧＰＳ受信機などの現在位置座標データ取得手段と、
前記各ユーザーの「もし近くの場所に居れば出会いたい又は連絡したい人に関するキー・データ」、前記各ユーザーの現在位置座標データ、及び前記各ユーザー自身の識別用データ又は属性データなどのキー・データを、「基地局側又はセンター側のコンピュータ」にネットワークを介して無線で送信するための現在位置座標データ等送信手段と、
「基地局側又はセンター側のコンピュータ」から、「前記各ユーザーの現在位置座標データであってその中の全部又は一部の各ユーザーの現在位置座標データ」の相互の比較に基づいて得られる告知情報であって、前記ユーザーの近傍の位置に「そのユーザーのもし近くの場所に居れば自己が出会いたい又は連絡したい人に関するキー・データ」と一致又は関連するキー・データを有する「他のユーザー」に関して、「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の少なくとも一つを知らせるための告知情報を、ネットワークを介して無線で受信するための告知情報受信手段と、
を備えたことを特徴とする、乗り物に乗っている場合を含む移動体である各ユーザーが携帯又は保持する移動体通信端末などの端末に備えられた出会い・交流・連絡又は交信の支援のための装置。
【請求項６】
乗り物に乗っている場合を含む移動体である各ユーザーが携帯又は保持する移動体通信端末などの端末に備えられた出会い・交流・連絡又は交信の支援のための装置であって、
前記各ユーザーの現在地の位置座標データを取得するためのＧＰＳ受信機などの現在位置座標データ取得手段と、
前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを前記各ユーザー自身の識別用データ又は属性データなどのキー・データと関連付けて記録しておくためのキー・データ用データベースを備えている「基地局側又はセンター側のコンピュータ」に向けて、前記各ユーザーの現在位置座標データ、及び前記各ユーザー自身の識別用データ又は属性データなどのキー・データを、ネットワークを介して無線で送信するための現在位置座標データ等送信手段と、
「基地局側又はセンター側のコンピュータ」から、「前記各ユーザーの現在位置座標データであってその中の全部又は一部の各ユーザーの現在位置座標データ」の相互の比較に基づいて得られる告知情報であって、前記ユーザーの近傍の位置に「そのユーザーのもし近くの場所に居れば自己が出会いたい又は連絡したい人に関するキー・データ」と一致又は関連するキー・データを有する「他のユーザー」に関して、「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の少なくとも一つを知らせるための告知情報を、ネットワークを介して無線で受信するための告知情報受信手段と、
を備えたことを特徴とする、乗り物に乗っている場合を含む移動体である各ユーザーが携帯又は保持する移動体通信端末などの端末に備えられた出会い・交流・連絡又は交信の支援のための装置。
【請求項７】
乗り物に乗っている場合を含む移動体である各ユーザーが携帯又は保持する移動体通信端末などの端末に備えられた出会い・交流・連絡又は交信の支援のための装置であって、
前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、
前記各ユーザーの現在地の現在位置座標データを取得するためのＧＰＳ受信機などの現在位置座標データ取得手段と、
前記の「各ユーザーのもし近くの場所に居れば自己が出会いたい又は連絡したい人に関するキー・データ」、前記各ユーザーの現在位置座標データ、及び前記各ユーザー自身の識別用データ又は電話番号や電子メールアドレスなどの連絡用データを、「他のユーザーが携帯又は保持する移動体通信端末などの端末」又は「基地局側又はセンター側のコンピュータ」に向けて無線により送信するための現在位置座標データ等送信手段と、
「他のユーザーが携帯又は保持する移動体通信端末などの端末」又は「基地局側又はセンター側のコンピュータ」から無線で送信されて来た前記他のユーザーの「出会いたい人又は連絡したい人に関する識別用データ又は属性データなどのキー・データ」、前記他のユーザーの現在位置座標データ、及び前記他のユーザーの識別用データ又は電話番号や電子メールアドレスなどの連絡用データを、無線で受信するための現在位置座標データ等受信手段と、
前記現在位置座標データ等受信手段により受信した「前記他のユーザーの現在位置座標データであってその中の全部又は一部の他のユーザーの現在位置座標データ」と前記現在位置座標データ取得手段により取得したユーザー自身の現在位置座標データとを互いに比較するための現在位置座標データ比較手段と、
前記現在位置座標データ比較手段による比較結果に基づいて前記ユーザーの近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、
を備えたことを特徴とする、乗り物に乗っている場合を含む移動体であるユーザーが携帯又は保持する移動体通信端末などの端末に備えられた出会い・交流・連絡又は交信の支援のための装置。
【請求項８】
乗り物に乗っている場合を含む移動体であるユーザー同士の出会い・交流・連絡又は交信の支援のための装置であって、
ユーザーが携帯又は保持する移動体通信端末などの端末又は「基地局側又はセンター側のコンピュータ」に備えられたキー・データ記憶手段であって、前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、
ユーザーが携帯又は保持する移動体通信端末などの端末に備えられた送信手段であって、「少なくともそのユーザーを識別することができる識別データ」を、他のユーザー側の移動体通信端末などの端末又は「基地局側又はセンター側のコンピュータ」に向けて、無線で送信する送信手段と、
ユーザーが携帯又は保持する移動体通信端末などの端末又は「基地局側又はセンター側のコンピュータ」に備えられた受信手段であって、他のユーザーの移動体通信端末から無線送信された「少なくとも前記他のユーザーを識別することができる識別データ」を受信する受信手段と、
ユーザーが保持する移動体通信端末などの端末又は「基地局側又はセンター側のコンピュータ」に備えられたマッチング手段であって、前記受信手段により受信した識別データにより識別される他のユーザーに関するデータであって前記の「他のユーザーに関するキー・データであって、前記他のユーザー自身のキー・データ、又は、前記他のユーザーがもし近くの場所に居れば出会いたい又は連絡したい人に関するキー・データ」が、前記の「ユーザーに関するキー・データ」と互いに一致又は関連しているものがあるかどうかを照合するためのマッチング手段と、
ユーザーが携帯又は保持する移動体通信端末などの端末又は「基地局側又はセンター側のコンピュータ」に備えられた告知等手段であって、前記マッチング手段からの出力に基づいて、前記マッチング手段により前記ユーザーと他のユーザーとの間で双方の「キー・データ」の中に互いに一致又は関連するものがあるときは、前記ユーザーに「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、
を備えた、ことを特徴とする乗り物に乗っている場合を含む移動体であるユーザー同士の出会い・交流・連絡又は交信の支援のための装置。
【手続補正３】
【補正対象書類名】明細書
【補正対象項目名】０００１
【補正方法】変更
【補正の内容】
【０００１】
【発明の詳細な説明】
【発明の属する技術分野】
本発明は、戸外や大規模施設内などでの、「出会いたい人・連絡したい人との偶然の出会い」を支援したり連絡を支援するための装置に関する。
【手続補正４】
【補正対象書類名】明細書
【補正対象項目名】０００６
【補正方法】変更
【補正の内容】
【０００６】
特に、最近は、電子メールやテレビ会議などの普及から、コンピュータ通信ネットワークを介した交流・接触が増え、「フェイス・ツー・フェイス」の出会い・会話が少なくなる傾向にある。人々は公私共に多忙になり時間に追われるようになるため、親しい人同士でも、かなり距離的に離れた地域で生活・仕事をしていると、なかなか「フェイス・ツー・フェイス」で出会う機会がなくなってしまう。しかし、「ハイテクに囲まれた生活」が普及すればするほど、それとのバランスを取るための「ハイタッチの機会」（フェィス・トー・フェイスで出会える機会）はより貴重になっていく。特に、「たまたま偶然に」近傍に位置することになった（「フェイス・ツー・フェイス」の出会いが可能になった）機会を逃すこと無く（従来は、そのような機会があっても、人間の視力や注意力の限界から、それに気付かないまま通り過ぎることが少なくなかった）、「フェイス・ツー・フェイス」の出会いを実現すること、又は、少なくとも連絡を取り合うことは、極めて大切になる。
本発明はこのような従来技術の課題に着目してなされたものであって、互いに関連又は縁を持つ人たちが、「たまたま偶然に」近傍に位置することになった機会を逃すこと無く、「フェイス・ツー・フェイスの出会い」又は「連絡すること」を確実に実現できるようにすることができる、出会い・連絡の支援のための装置を提供することを目的とする。また、本発明は、このような「比較的近くの場所に居あわせた人たち同士が、実際に出会える機会又は連絡し合える機会を持てるように支援すること」を、歩行者（店舗など施設や道路などに存在している人だけでなく、電車などの公共の交通機関を利用している人をも含む）同士の間だけでなく、歩行者と自動車に乗っている人との間や、自動車に乗っている人同士の間についても、可能にすることをも目的としている。
【手続補正５】
【補正対象書類名】明細書
【補正対象項目名】０００８
【補正方法】変更
【補正の内容】
【０００８】
本願の特許請求の範囲に記載した発明は次のとおりである。
１．乗り物に乗っている場合を含む移動体である各ユーザーが携帯又は保持する移動体通信端末などの端末であって、少なくとも、（１）前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、（２）前記各ユーザーの現在地の位置座標データを取得するためのＧＰＳ受信機などの現在位置座標データ取得手段と、（３）前記各ユーザーの「もし近くの場所に居れば出会いたい又は連絡したい人に関するキー・データ」、各ユーザーの現在位置座標データ、及び各ユーザーの識別用データまたは属性データなどのキー・データを、「基地局側又はセンター側のコンピュータ」にネットワークを介して無線送信するための現在位置座標データ等送信手段と、を有する移動体通信端末などの端末と、「基地局側又はセンター側のコンピュータ」であって、少なくとも、（１）複数の前記各移動体通信端末などの端末からそれぞれ前記「基地局側又はセンター側のコンピュータ」に無線で送信されて来た「前記各ユーザーの現在位置座標データであってその中の全部又は一部の各ユーザーの現在位置座標データ」を互いに比較するための現在位置座標データ比較手段と、（２）前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を有する「基地局側又はセンター側のコンピュータ」と、を備えたことを特徴とする、出会い・交流・連絡又は交信の支援のための装置。
２．乗り物に乗っている場合を含む移動体である各ユーザーが携帯又は保持する移動体通信端末などの端末であって、少なくとも、（１）前記各ユーザーの現在地の位置座標データを取得するためのＧＰＳ受信機などの現在位置座標データ取得手段と、（２）前記各ユーザーの現在位置座標データ、及び各ユーザーの識別用データまたは属性データなどのキー・データを、「基地局側又はセンター側のコンピュータ」にネットワークを介して無線送信するための現在位置座標データ等送信手段と、を有する移動体通信端末などの端末と、「基地局側又はセンター側のコンピュータ」であって、少なくとも、（１）前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを、前記各ユーザー自身の識別用データ又は属性データなどのキー・データと関連付けて記録しておくためのキー・データ用データベースと、（２）複数の前記各移動体通信端末などの端末からそれぞれ前記「基地局側又はセンター側のコンピュータ」に無線で送信されて来た「前記各ユーザーの現在位置座標データであってその中の全部又は一部の各ユーザーの現在位置座標データ」を互いに比較するための現在位置座標データ比較手段と、（３）前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を有する「基地局側又はセンター側のコンピュータ」と、を備えたことを特徴とする、出会い・交流・連絡又は交信の支援のための装置。
３．「基地局側又はセンター側のコンピュータ」に備えられた出会い・交流・連絡又は交信の支援のための装置であって、乗り物に乗っている場合を含む移動体である各ユーザーが携帯又は保持する移動体通信端末などの端末から、前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データ、各ユーザーの現在地の位置座標データ、及び各ユーザー自身の識別用データ又は属性データなどのキー・データを、ネットワークを介して無線で受信するための現在位置座標データ等受信手段と、前記各ユーザーの移動体通信端末などの端末からそれぞれ無線送信されて来た「前記各ユーザーの現在位置座標データであってその中の全部又は一部の各ユーザーの現在位置座標データ」を互いに比較するための現在位置座標データ比較手段と、前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を備えたことを特徴とする、「基地局側又はセンター側のコンピュータ」に備えられた出会い・交流・連絡又は交信の支援のための装置。
４．「基地局側又はセンター側のコンピュータ」に備えられた出会い・交流・連絡又は交信の支援のための装置であって、「乗り物に乗っている場合を含む移動体である各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを、各ユーザー自身の識別用データ又は属性データなどのキー・データと関連付けて記録しておくためのキー・データ用データベースと、乗り物に乗っている場合を含む移動体である前記各ユーザーが携帯又は保持する移動体通信端末などの端末から各ユーザーの現在地の位置座標データ、及び各ユーザー自身の識別用データ又は属性データなどのキー・データを、ネットワークを介して無線で受信するための現在位置座標データ等受信手段と、前記各ユーザーの移動体通信端末などの端末からそれぞれ無線送信されて来た「前記各ユーザーの現在位置座標データであってその中の全部又は一部の各ユーザーの現在位置座標データ」を互いに比較するための現在位置座標データ比較手段と、前記現在位置座標データ比較手段による比較結果に基づいて「あるユーザー」の近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を備えたことを特徴とする、「基地局側又はセンター側のコンピュータ」に備えられた出会い・交流・連絡又は交信の支援のための装置。
５．乗り物に乗っている場合を含む移動体である各ユーザーが携帯又は保持する移動体通信端末などの端末に備えられた出会い・交流・連絡又は交信の支援のための装置であって、前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、前記各ユーザーの現在地の位置座標データを取得するためのＧＰＳ受信機などの現在位置座標データ取得手段と、前記各ユーザーの「もし近くの場所に居れば出会いたい又は連絡したい人に関するキー・データ」、各ユーザーの現在位置座標データ、及び各ユーザー自身の識別用データ又は属性データなどのキー・データを、「基地局側又はセンター側のコンピュータ」にネットワークを介して無線で送信するための現在位置座標データ等送信手段と、「基地局側又はセンター側のコンピュータ」から、「前記各ユーザーの現在位置座標データであってその中の全部又は一部の各ユーザーの現在位置座標データ」の相互の比較に基づいて得られる告知情報であって、前記ユーザーの近傍の位置に「そのユーザーのもし近くの場所に居れば自己が出会いたい又は連絡したい人に関するキー・データ」と一致又は関連するキー・データを有する「他のユーザー」に関して、「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の少なくとも一つを知らせるための告知情報を、ネットワークを介して無線で受信するための告知情報受信手段と、を備えたことを特徴とする、乗り物に乗っている場合を含む移動体である各ユーザーが携帯又は保持する移動体通信端末などの端末に備えられた出会い・交流・連絡又は交信の支援のための装置。
６．乗り物に乗っている場合を含む移動体である各ユーザーが携帯又は保持する移動体通信端末などの端末に備えられた出会い・交流・連絡又は交信の支援のための装置であって、前記各ユーザーの現在地の位置座標データを取得するためのＧＰＳ受信機などの現在位置座標データ取得手段と、各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを各ユーザー自身の識別用データ又は属性データなどのキー・データと関連付けて記録しておくためのキー・データ用データベースを備えている「基地局側又はセンター側のコンピュータ」に向けて、前記各ユーザーの現在位置座標データ、及び各ユーザー自身の識別用データ又は属性データなどのキー・データを、ネットワークを介して無線で送信するための現在位置座標データ等送信手段と、「基地局側又はセンター側のコンピュータ」から、「前記各ユーザーの現在位置座標データであってその中の全部又は一部の各ユーザーの現在位置座標データ」の相互の比較に基づいて得られる告知情報であって、前記ユーザーの近傍の位置に「そのユーザーのもし近くの場所に居れば自己が出会いたい又は連絡したい人に関するキー・データ」と一致又は関連するキー・データを有する「他のユーザー」に関して、「（ａ）前記他のユーザーが近くに居ること、（ｂ）前記他のユーザーの現在位置であって文字列又は地図上や施設内見取り図上での表示による現在位置、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の少なくとも一つを知らせるための告知情報を、ネットワークを介して無線で受信するための告知情報受信手段と、を備えたことを特徴とする、乗り物に乗っている場合を含む移動体である各ユーザーが携帯又は保持する移動体通信端末などの端末に備えられた出会い・交流・連絡又は交信の支援のための装置。
７．乗り物に乗っている場合を含む移動体である各ユーザーが携帯又は保持する移動体通信端末などの端末に備えられた出会い・交流・連絡又は交信の支援のための装置であって、前記各ユーザーのもし近くの場所に居れば自己が出会いたい又は連絡したい人に関するキー・データであって「（ａ）その人の識別用データ、（ｂ）その人の属性データ、（ｃ）その人の識別用データ及びどのくらいの距離まで近くなら出合い・交流・連絡又は交信を希望するかという希望距離データ、及び（ｄ）その人の属性データ及びどのくらいの距離まで近くなら出合い・交流・連絡又は交信を希望するかという希望距離データ」の中の少なくとも一つを含むキー・データを記録するためのキー・データ記録手段と、
前記各ユーザーの現在地の現在位置座標データを取得するためのＧＰＳ受信機などの現在位置座標データ取得手段と、前記の「出会いたい人又は連絡したい人に関する識別用データ又は属性データなどのキー・データ」、ユーザーの現在位置座標データ、及び自己の識別用データ又は電話番号や電子メールアドレスなどの連絡用データを、「他のユーザーが携帯又は保持する移動体通信端末などの端末」又は「基地局側又はセンター側のコンピュータ」に向けて無線により送信するための現在位置座標データ等送信手段と、「他のユーザーが携帯又は保持する移動体通信端末などの端末」又は「基地局側又はセンター側のコンピュータ」から無線で送信されて来た前記他のユーザーの「出会いたい人又は連絡したい人に関する識別用データ又は属性データなどのキー・データ」、前記他のユーザーの現在位置座標データ、及び前記他のユーザーの識別用データ又は電話番号や電子メールアドレスなどの連絡用データを、無線で受信するための現在位置座標データ等受信手段と、前記現在位置座標データ等受信手段により受信した「前記他のユーザーの現在位置座標データであってその中の全部又は一部の他のユーザーの現在位置座標データ」を互いに比較するための現在位置座標データ比較手段と、前記現在位置座標データ比較手段による比較結果に基づいて前記ユーザーの近傍の位置に「そのユーザーのもし近くの場所に居れば自己が出会いたい又は連絡したい人に関するキー・データ」と一致又は関連するキー・データを有する「他のユーザー」が居るときは、前記ユーザーに「（ａ）前記他のユーザーが近くに居ること、（ｂ）前記他のユーザーの現在位置であって文字列又は地図上や施設内見取り図上での表示による現在位置、、（ｃ）前記他のユーザーの識別用データ又は属性データなどのキー・データ、（ｄ）前記他のユーザーからのメッセージ、及び（ｅ）前記他のユーザーへの電話番号や電子メールアドレスなどの連絡方法に関するデータ」の中の少なくとも一つを知らせるか又は前記ユーザーと前記「他のユーザー」との交流・連絡又は交信を電話やチャットや電子メールなどで可能にするための告知等手段と、を備えたことを特徴とする、乗り物に乗っている場合を含む移動体であるユーザーが携帯又は保持する移動体通信端末などの端末に備えられた出会い・交流・連絡又は交信の支援のための装置。
また、本明細書は次のような発明も提案している。
Ａ−１−１  ユーザーが使用する移動体通信移動体通信端末などの端末又はネットワークに接続されたコンピュータに備えられた記憶手段であって、「ユーザーに関するキー・データ」（そのユーザー自身のキー・データ、又は、そのユーザーが出会いたい人・連絡したい人・連絡したい人に関するキー・データ）を記録する記録手段と、ユーザーが使用する移動体通信移動体通信端末などの端末に備えられた送信手段であって、「少なくともそのユーザーを識別するための識別データ」を無線で送信する送信手段と、ユーザーが使用する移動体通信移動体通信端末などの端末又はネットワークに接続されたコンピュータに備えられた受信手段であって、他のユーザーが携帯している移動体通信移動体通信端末などの端末から無線送信された「少なくとも前記他のユーザーを識別するための識別データ」を受信する受信手段と、ユーザーが使用する移動体通信移動体通信端末などの端末又はネットワークに接続されたコンピュータに備えられたマッチング手段であって、前記受信手段により受信した識別データにより識別される他のユーザーに関するデータであって「前記他のユーザーのキー・データ」（前記他のユーザーのキー・データ、又は、前記他のユーザーが出会いたい人・連絡したい人に関するキー・データ）が、前記のユーザーの「ユーザーに関するキー・データ」と一致又は関連しているものがあるかどうかを判定するためのマッチング手段と、ユーザーが使用する移動体通信移動体通信端末などの端末又はネットワークに接続されたコンピュータに備えられた告知手段であって、前記マッチング手段により前記ユーザーと他のユーザーとの間で「キー・データ」が一致又は関連するものがあるとき、そのことを前記のユーザーに知らせるための告知手段と、を備えたことを特徴とする（「ユーザーが近くの場所に居れば会いたいと思う人・連絡したい人」が実際にユーザーの近くに居るとき、そのことをユーザーに知らせて実際にその人に会うこと・連絡することができるように支援するための）出会い又は連絡を支援するための装置。
Ａ−１−２  上記出会い又は連絡を支援するための装置において、さらに、ユーザーが使用する移動体通信移動体通信端末などの端末に備えられ、そのユーザーの現在位置を特定するための現在位置特定手段を備え、前記送信手段は、前記「少なくともそのユーザーを識別するための識別データ」と「そのユーザーの現在位置データ」とを無線で送信するものである、ことを特徴とする出会いシオンシステム。
Ａ−１−３  上記出会い又は連絡を支援するための装置において、さらに、前記のユーザーの通信移動体通信端末などの端末と前記の「他のユーザー」の通信移動体通信端末などの端末との間を自動的に通信可能状態（電話・チャット・電子メール交換などが可能な状態）とする自動通信モード設定手段（つまり、ユーザーの特別な操作を必要とすること無く自動的に、音声会話モード、チャット（文字会話）モード、電子メール送信モードになる機能を実現するための手段）を備えたことを特徴とする出会い又は連絡を支援するための装置。
Ａ１．ユーザーが使用する移動体通信移動体通信端末などの端末であって、ユーザーが「ユーザーに関するキー・データ」（自己のキー・データ又は自己が出会いたい人・連絡したい人・連絡したい人に関するキー・データ）を記録する記録手段と、前記キー・データを近傍のエリア内に向けて無線で送信する送信手段と、他のユーザーが使用する移動体通信移動体通信端末などの端末から近傍のエリア内に向けて無線送信された他のユーザーに関するキー・データを受信する受信手段と、前記受信手段により受信した他のユーザーの通信移動体通信端末などの端末からのキー・データが前記のユーザーの「自己に関するキー・データ」と一致又は関連しているとき、そのことを前記のユーザーに知らせるための告知手段と、を含む移動体通信移動体通信端末などの端末を備え、「ユーザーが近くの場所に居れば会いたいと思う人・連絡したい人」が実際にユーザーの近くに居るとき、そのことをユーザーに知らせて実際にその人に会うこと・連絡することができるように支援することを特徴とする出会い又は連絡を支援するための装置。
Ａ２．上記Ａ１において、さらに、前記移動体通信移動体通信端末などの端末は、ユーザーの現在位置を特定するための現在位置特定手段をも含み、前記送信手段は、前記キー・データと共に、前記第１のユーザーの現在位置データをも送信するものである、出会い又は連絡を支援するための装置。
Ａ３．上記Ａ１又はＡ２において、前記送信手段は、前記キー・データと共に、前記のユーザーからのメッセージをも送信するものであり、前記告知手段は、前記の他のユーザーからのメッセージの内容をも知らせるものである、出会い又は連絡を支援するための装置。
Ａ４．上記Ａ１，Ａ２又はＡ３において、さらに、前記受信手段により受信した「他のユーザー」の通信移動体通信端末などの端末からのキー・データにより特定されるその「他のユーザー」が、前記のユーザーが予め設定した「もし近傍に居れば自動的に通信可能状態にしたい人の条件」を満たしているとき、前記のユーザーの通信移動体通信端末などの端末と前記の「他のユーザー」の通信移動体通信端末などの端末との間を自動的に通信可能状態とする自動通信モード設定手段、を備えた出会い又は連絡を支援するための装置。
Ａ５．ユーザーが使用する移動体通信移動体通信端末などの端末であって、ユーザーが「ユーザーに関するキー・データ」（自己のキー・データ又は自己が出会いたい人・連絡したい人・連絡したい人に関するキー・データ）を記録する記録手段と、自己の現在位置を特定するための現在位置特定手段と、前記のキー・データ及び現在位置データを無線により送信する送信手段と、他のユーザーが携帯している通信移動体通信端末などの端末から無線送信された「他のユーザーに関するキー・データ」及び「他のユーザーの現在位置データ」を受信する受信手段と、前記受信手段により受信した前記の「他のユーザーに関するキー・データ」が前記のユーザーの「ユーザーに関するキー・データ」と一致又は関連しており、且つ、前記受信手段により受信した他のユーザーの現在位置が前記のユーザーの現在位置の近傍であるとき、そのことを前記のユーザーに知らせるための告知手段と、を含む移動体通信移動体通信端末などの端末を備え、
「ユーザーが近くの場所に居れば会いたいと思う人・連絡したい人」が実際にユーザーの近くに居るとき、そのことをユーザーに知らせて実際にその人に会うこと・連絡することができるように支援することを特徴とする出会い又は連絡を支援するための装置。
Ａ６．上記Ａ５において、前記送信手段は、前記キー・データ及び現在位置データと共に、前記のユーザーからのメッセージをも送信するものであり、前記告知手段は、前記の他のユーザーからのメッセージの内容をも告知するものである、出会い又は連絡を支援するための装置。
Ａ７．上記Ａ５又はＡ６において、さらに、前記受信手段により受信した他のユーザーのキー・データが前記のユーザーの「ユーザーに関するキー・データ」と一致又は関連しており、且つ、前記受信手段により受信した「他のユーザー」の現在位置が前記のユーザーの現在位置の近傍であるとき、前記のユーザーの通信移動体通信端末などの端末と前記の「他のユーザー」の通信移動体通信端末などの端末との間を自動的に通信可能状態とする自動通信モード設定手段、を備えた出会い又は連絡を支援するための装置。
Ａ８．複数のユーザーが使用する移動体通信移動体通信端末などの端末であって、少なくとも、各ユーザーが「ユーザーに関するキー・データ」（自己のキー・データ又は自己が出会いたい人・連絡したい人に関するキー・データ）を近傍のエリア内をカバーする無線局（基地局）に無線で送信する送信手段を有する移動体通信移動体通信端末などの端末と、前記の複数の通信移動体通信端末などの端末からそれぞれ前記無線局（基地局）内に設置された又は無線局（基地局）に接続されたセンター（センターのコンピュータ）に無線送信されたキー・データに基づいて、互いに一致又は関連するキー・データを有する複数のユーザーが互いに近傍の位置に居るとき、それらのユーザーに対して、そのことを知らせる告知手段と、を備えた出会い又は連絡を支援するための装置。
Ａ９．上記Ａ８において、前記移動体通信移動体通信端末などの端末は、前記ユーザーの現在位置を特定するための現在位置特定手段をも含み、前記送信手段は、前記キー・データと共に、前記のユーザーの現在位置データをも送信するものである、出会い又は連絡を支援するための装置。
Ａ１０．上記Ａ８又はＡ９において、前記送信手段は、前記ユーザーに関するキー・データと共に、前記各ユーザーからのメッセージをも送信するものであり、前記告知手段は、このメッセージの内容をも告知するものである、出会い又は連絡を支援するための装置。
Ａ１１．上記Ａ８，Ａ９又はＡ１０において、さらに、互いに一致又は関連するキー・データを有する複数のユーザーが互いに近傍の位置に居ると判断したとき、前記の互いに一致又は関連するキー・データを有する複数のユーザーが使用する移動体通信移動体通信端末などの端末の間を自動的に通信可能状態とする自動通信モード設定手段、を備えた出会い又は連絡を支援するための装置。
Ａ１２．複数のユーザーが使用する移動体通信移動体通信端末などの端末であって、少なくとも、各ユーザーの「ユーザーに関するキー・データ」（自己のキー・データ、又は、自己が出会いたい人・連絡したい人に関するキー・データ）を記録する記録手段、各ユーザーの現在位置を特定するための現在位置特定手段、及び、前記の自己に関するキー・データ及び自己の現在位置データをセンター（センターの（「サーバー」コンピュータや「ホスト」コンピュータなど）に向けて無線で送信する送信手段、を有する移動体通信移動体通信端末などの端末と、前記の各移動体通信移動体通信端末などの端末からそれぞれセンターに無線送信された各ユーザーのキー・データ及び現在位置データに基づいて、「あるユーザー」の近傍のエリア内に、「そのユーザー」に関するキー・データと一致又は関連するキー・データを有する「他のユーザー」が居るときは、それらの各ユーザーにそのことを知らせる告知手段と、を備えた出会い又は連絡を支援するための装置。
Ａ１３．上記Ａ１２において、前記送信手段は、前記キー・データと共に、前記の各ユーザーからのメッセージをも送信するものであり、前記告知手段は、このメッセージの内容をも告知するものである、出会い又は連絡を支援するための装置。
Ａ１４．上記Ａ１２又はＡ１３において、さらに、近傍のエリア内に一致又は関連するキー・データを有するユーザーが居るとき、前記の互いに一致又は関連するキー・データを有する複数のユーザーが使用する移動体通信移動体通信端末などの端末の間を自動的に通信可能状態とする自動通信モード設定手段、を備えた出会い又は連絡を支援するための装置。
Ａ１５．複数のユーザーがそれぞれ携帯する移動体通信移動体通信端末などの端末であって、少なくとも、各ユーザーの自己を識別する識別データ、及び、自己の現在位置特定用データ（自己の現在位置を特定するデータ、又は、例えばＧＰＳ用信号などの自己の現在位置を特定するための資料となるデータ）を、センター（「サーバー」コンピュータや「ホスト」コンピュータなど）に向けて無線で送信する送信手段、を有する移動体通信移動体通信端末などの端末と、前記センター側に備えられ、前記の各移動体通信移動体通信端末などの端末からそれぞれ送信された各ユーザーの識別データ及び現在位置特定用データに基づいて、「あるユーザー」の近傍のエリア内に「そのユーザーがもし近傍の地に居れば実際に会いたい又は連絡したいと希望する人」が居るとき、そのことを前記ユーザーに知らせるための告知手段と、を備えた出会い又は連絡を支援するための装置。